(57)【特許請求の範囲】
【請求項１】
シート状の原稿を自動給送する原稿自動送り部と原稿画像を読取る読取りユニット部とを備え、前記原稿自動送り部により自動給送された原稿の原稿画像を前記読取りユニット部が順次読取る原稿給送式の画像読取り手段と、原稿台上にセットする原稿の原稿画像を前記読取りユニット部が走査して読取る原稿固定式の画像読取り手段とを備えたファクシミリ装置において、
前記原稿自動送り部に原稿がセットされているか否かを検出する１個の検出スイッチと、
前記検出スイッチの検出結果により、前記原稿給送式の画像読取り手段または前記原稿固定式の画像読取り手段のいずれか一方を能動化させる選択手段と、
メッセージを表示するメッセージ表示手段と、
前記メッセージ表示手段における表示を制御する表示制御手段とを備え、
前記検出スイッチにより前記原稿給送式の画像読取り手段に原稿がセットされていることを検出した場合には、前記選択手段が前記原稿給送式の画像読取り手段を能動化させる一方、
前記検出スイッチにより前記原稿給送式の画像読取り手段に原稿がセットされていないことを検出した場合には、前記表示制御手段が前記メッセージ表示手段に原稿がセットされていないことを警告する警告メッセージを表示し、警告メッセージ表示後、所定時間経過しても前記原稿給送式の画像読取り手段に原稿がセットされない場合は、前記原稿固定式の画像読取り手段が選択されたものと判断して、前記選択手段が前記原稿固定式の画像読取り手段を能動化させることを特徴とするファクシミリ装置。
【請求項２】
前記表示制御手段は、前記選択手段によって前記原稿固定式の画像読取り手段が選択された場合には、原稿固定式の画像読取り手段が選択されたことを確認する確認メッセージを前記メッセージ表示手段に表示させることを特徴とする請求項１記載のファクシミリ装置。
【請求項３】
シート状の原稿を自動給送する原稿自動送り部と原稿画像を読取る読取りユニット部とを備え、前記原稿自動送り部により自動給送された原稿の原稿画像を前記読取りユニット部が順次読取る原稿給送式の画像読取り手段と、原稿台上にセットする原稿の原稿画像を前記読取りユニット部が走査して読取る原稿固定式の画像読取り手段とを備えたファクシミリ装置において、
前記原稿自動送り部に原稿がセットされているか否かを検出する１個の検出スイッチと、
前記検出スイッチの検出結果により、前記原稿給送式の画像読取り手段または前記原稿固定式の画像読取り手段のいずれか一方を能動化させる選択手段と、
メッセージを表示するメッセージ表示手段と、
前記メッセージ表示手段における表示を制御する表示制御手段と、
ポーリング受信による通信を行うポーリング手段とを備え、
前記検出スイッチにより前記原稿給送式の画像読取り手段に原稿がセットされていることを検出した場合には、前記選択手段が前記原稿給送式の画像読取り手段を能動化させる一方、
前記検出スイッチにより前記原稿給送式の画像読取り手段に原稿がセットされていないことを検出した場合には、前記表示制御手段が前記メッセージ表示手段に原稿がセットされていないことを警告する警告メッセージと、ポーリング受信による通信であるのか前記原稿固定式の画像読取り手段による送信であるのかのいずれかを選択させる選択メッセージとを表示し、メッセージ表示後、ポーリング受信による通信が選択された場合は、ポーリング受信による通信を開始する一方、前記メッセージ表示後、所定時間経過してもポーリング受信による通信が選択されず、かつ、前記原稿給送式の画像読取り手段に原稿がセットされない場合は、前記原稿固定式の画像読取り手段が選択されたものと判断して、前記選択手段が前記原稿固定式の画像読取り手段を能動化させることを特徴とするファクシミリ装置。
【発明の詳細な説明】
【０００１】
【発明の属する技術分野】
本発明は、ファクシミリ装置に関し、特に原稿給送式の画像読取り装置と原稿固定式の画像読取り装置とを備えたファクシミリ装置に関するものである。
【０００２】
【従来の技術】
従来、画像読取り装置として、原稿給送式の画像読取り装置と原稿固定式の画像読取り装置とが存在する。
【０００３】
原稿給送式の画像読取り装置は、シート状の原稿を原稿自動送り手段が自動給送するとともに読み取りユニットが原稿画像を順次読み取る装置である。この原稿給送式の画像読取り装置は、例えば、ファクシミリ装置に用いられる。
【０００４】
また、原稿固定式の画像読取り装置は、原稿台上にセットされた原稿画像を原稿台の反対側に設けた読取りユニットが走査し読み取る装置である。この原稿固定式の画像読取り装置は、例えば、複写機に用いられる。
【０００５】
これら２種類の画像読取り装置を備えたファクシミリ装置として、例えば、自動原稿搬送機構（ＡＤＦ機構）を原稿台に固定して設け、原稿台に開閉自在のカバーを設けたファクシミリ装置が提案されている（特開平２−９６４６１号公報）。このファクシミリ装置は、原稿台を用いた送信とＡＤＦ機構を用いた送信とのうち選択された送信を実行する。このファクシミリ装置によれば、シート状の原稿およびブック状の原稿の原稿画像がファクシミリ送信可能である。
【０００６】
また、これ以外に、送信原稿がセットされた状態にあるときは、手動送信モードに対応する操作画面を操作パネル上に表示し、通信ジョブの状態が発呼であり、送信原稿がセットされていない状態にあるときは、手動ポーリングモードに対応する操作画面を操作パネル上に表示し、通信ジョブの状態が着呼であるときは、送信原稿のセット状態にかかわらず手動受信モードに対応する操作画面を前記操作パネル上に表示するファクシミリ装置が提案されている（特開平１０−２４３１２８号公報）。
【０００７】
【発明が解決しようとする課題】
しかしながら、前者のファクシミリ装置においては、原稿台を用いた送信とＡＤＦ機構を用いた送信とから希望する送信を専用キーで選択する必要がある。このため、ファクシミリ装置に選択用の専用キーを設けねばならず、ファクシミリ装置に選択のための新たな構成部分が必要となるという問題が存在していた。さらに、実際のファクシミリ送信においては、ＡＤＦ機構を用いた送信が主として行われていることから、このように送信を専用キーで選択する操作は操作性を低下させるという問題が存在していた。
【０００８】
また、後者のファクシミリ装置においては、手動送信モード、手動ポーリングモード、手動受信モード等の各種機能モードを選択するボタンを独立させ、原稿のセットの有無等により、任意のモードを選択したときには、使用しない他のモードのボタンを表示しないことから、使用する機能の選択に利用者の操作を必要とする。このため、このファクシミリ装置においても、前記理由により、操作性が低下するという問題が存在していた。
【０００９】
そこで、本発明は、原稿台を用いた送信と原稿を自動給送する送信とから希望する送信を選択し実行するファクシミリ装置において、原稿を自動給送する送信を選択するための専用キーを不要とし、ファクシミリ装置の操作性を向上させることを目的とする。
【００１０】
【課題を解決するための手段】
上記目的を達成するために、本発明は、シート状の原稿を自動給送する原稿自動送り部と原稿画像を読取る読取りユニット部とを備え、前記原稿自動送り部により自動給送された原稿の原稿画像を前記読取りユニット部が順次読取る原稿給送式の画像読取り手段と、原稿台上にセットする原稿の原稿画像を前記読取りユニット部が走査して読取る原稿固定式の画像読取り手段とを備えたファクシミリ装置において、前記原稿自動送り部に原稿がセットされているか否かを検出する１個の検出スイッチと、前記検出スイッチの検出結果により、前記原稿給送式の画像読取り手段または前記原稿固定式の画像読取り手段のいずれか一方を能動化させる選択手段と、メッセージを表示するメッセージ表示手段と、前記メッセージ表示手段における表示を制御する表示制御手段とを備え、前記検出スイッチにより前記原稿給送式の画像読取り手段に原稿がセットされていることを検出した場合には、前記選択手段が前記原稿給送式の画像読取り手段を能動化させる一方、前記検出スイッチにより前記原稿給送式の画像読取り手段に原稿がセットされていないことを検出した場合には、前記表示制御手段が前記メッセージ表示手段に原稿がセットされていないことを警告する警告メッセージを表示し、警告メッセージ表示後、所定時間経過しても前記原稿給送式の画像読取り手段に原稿がセットされない場合は、前記原稿固定式の画像読取り手段が選択されたものと判断して、前記選択手段が前記原稿固定式の画像読取り手段を能動化させるものである。
【００１１】
これにより、検出手段が検出する原稿のセット状態により、切換手段が原稿給送式の画像読取り手段と原稿固定式の画像読取り手段とを選択的に能動化する。
【００１２】
また、本発明は、上記構成において、前記表示制御手段は、前記選択手段によって前記原稿固定式の画像読取り手段が選択された場合には、原稿固定式の画像読取り手段が選択されたことを確認する確認メッセージを前記メッセージ表示手段に表示させるものである。
【００１３】
これにより、前記検出手段が前記原稿自動送り部に原稿がセットされていないことを検出した場合には、表示制御手段がメッセージ表示手段に警告メッセージと確認メッセージとを表示させる。
【００１４】
また、本発明は、シート状の原稿を自動給送する原稿自動送り部と原稿画像を読取る読取りユニット部とを備え、前記原稿自動送り部により自動給送された原稿の原稿画像を前記読取りユニット部が順次読取る原稿給送式の画像読取り手段と、原稿台上にセットする原稿の原稿画像を前記読取りユニット部が走査して読取る原稿固定式の画像読取り手段とを備えたファクシミリ装置において、前記原稿自動送り部に原稿がセットされているか否かを検出する１個の検出スイッチと、前記検出スイッチの検出結果により、前記原稿給送式の画像読取り手段または前記原稿固定式の画像読取り手段のいずれか一方を能動化させる選択手段と、メッセージを表示するメッセージ表示手段と、前記メッセージ表示手段における表示を制御する表示制御手段と、ポーリング受信による通信を行うポーリング手段とを備え、前記検出スイッチにより前記原稿給送式の画像読取り手段に原稿がセットされていることを検出した場合には、前記選択手段が前記原稿給送式の画像読取り手段を能動化させる一方、前記検出スイッチにより前記原稿給送式の画像読取り手段に原稿がセットされていないことを検出した場合には、前記表示制御手段が前記メッセージ表示手段に原稿がセットされていないことを警告する警告メッセージと、ポーリング受信による通信であるのか前記原稿固定式の画像読取り手段による送信であるのかのいずれかを選択させる選択メッセージとを表示し、メッセージ表示後、ポーリング受信による通信が選択された場合は、ポーリング受信による通信を開始する一方、前記メッセージ表示後、所定時間経過してもポーリング受信による通信が選択されず、かつ、前記原稿給送式の画像読取り手段に原稿がセットされない場合は、前記原稿固定式の画像読取り手段が選択されたものと判断して、前記選択手段が前記原稿固定式の画像読取り手段を能動化させるものである。
【００１５】
これにより、前記検出手段が前記原稿自動送り部に原稿がセットされていないことを検出した場合には、表示制御手段がメッセージ表示手段に警告メッセージと選択メッセージとを表示させる。
【００１６】
【発明の実施の形態】
以下、本発明の実施の形態について図を参照して説明する。
【００１７】
図１は、本発明の一構成例であるファクシミリ装置Ｆの構成を示す概略断面図である。
【００１８】
ファクシミリ装置Ｆは、主要な構成要素として、スキャナー部Ａと、一点鎖線で囲む画像形成部Ｂと、給紙搬送部Ｃと、操作パネル（図１に図示せず）とを備える。
【００１９】
スキャナー部Ａは、原稿に光を照射し、原稿からの反射光に基づいて、原稿の画像に応じた画像データを生成する。
【００２０】
画像形成部Ｂは、スキャナー部Ａが生成した画像データに基づいてトナー像（現像剤画像）を形成し、このトナー像から所定の記録用紙（シート）上において画像を形成する。給紙搬送部Ｃは、画像形成部Ｂに画像形成前のシートを供給するとともに、画像形成後のシートを排紙する。
【００２１】
また、操作パネルは、利用者の指示をファクシミリ装置Ｆに伝達するとともに、ファクシミリ装置Ｆの動作状態を利用者に表示するインターフェイスとして、ファクシミリ装置Ｆの手前側に設けられている。
【００２２】
次に、本ファクシミリ装置Ｆの各部材の構成についてさらに詳しく説明する。
【００２３】
まず、スキャナー部Ａについて説明する。スキャナー部Ａは、上面に透明なガラス等からなる原稿台１を備えている。この原稿台１の下方には、スキャナー光学系が配されている。このスキャナー光学系は、露光ランプ２、反射鏡３〜５、結像レンズ６および光電変換素子（ＣＣＤ）７を備えている。露光ランプ２は、原稿台１の下部を往復移動することにより、原稿に光を走査する光源である。
【００２４】
反射鏡３〜５は、原稿からの反射光を、例えば、図中に破線で示すように、結像レンズ６からＣＣＤ７まで導く。ＣＣＤ７は、結像レンズ６によって結像された反射光を受光し、受光量に応じて、電気信号からなる画像信号を生成する。前記画像信号は、図示しないＡ／Ｄ変換装置によって、デジタルデータに変換された後、図示しない画像処理部において所定の処理が施され、画像データとして出力される。
【００２５】
上述のように、原稿台１にセットされた原稿の原稿画像を、露光ランプ２および反射鏡３〜５が走査して読取ることにより、原稿固定式の画像読取り装置としての機能が発揮され、ブック状の原稿も読取り可能となる。
【００２６】
一方、原稿トレイ３０にシート状の原稿がセットされたことがスイッチＳＷで検知されると、前記露光ランプ２および反射鏡３〜５が図１の右方に変位し、図示しない原稿自動給送装置で前記原稿トレイ３０から原稿が１枚ずつ取り込まれ、前記ＣＣＤ７によって読み取られた後、排紙トレイ３１上に排出されてゆくことで、原稿給送式の画像読取り装置としての機能が発揮される。
【００２７】
次に、画像形成部Ｂおよび給紙搬送部Ｃについて説明する。図１に示すように、画像形成部Ｂは、感光体ローラ８、帯電部９、レーザスキャニングユニット（以下「ＬＳＵ」という）１０、現像部１１、転写チャージャー１２およびクリーニング部１３を備える。
【００２８】
感光体ローラ８は、矢印ａ方向に回転駆動されるドラム形状の感光体ローラである。帯電部９は、感光体ローラ８の表面を所定の電位に均一に帯電させる。
【００２９】
ＬＳＵ１０は、帯電された感光体ローラ８の表面をレーザー光（画像データに基づいて変調した画像光）によって露光することにより、画像データに応じた静電潜像を形成する（光導電作用による静電潜像形成）。
【００３０】
現像部１１は、ＬＳＵ１０によって形成された静電潜像を現像ローラ１１ａにより現像し、感光体ローラ８上にトナー像を形成する。転写チャージャー１２は、感光体ローラ８上のトナー像をシートに転写する。クリーニング部１３は、トナー像がシートに転写された後、感光体ローラ８の表面に残留したトナーを除去する。
【００３１】
また、図１に示すように、給紙搬送部Ｃは、搬送路Ｌ、固定給紙カセット１４、ピックアップローラ１５、レジストローラ１６、定着ローラ１７、排紙口Ｒ、排紙ローラ１８、レジスト前検知スイッチ１９、定着紙検知スイッチ２０、排紙検知スイッチ２１および排紙トレイ２２を備えている。
【００３２】
固定給紙カセット１４は、画像形成にかかるシートＰを収納する。ピックアップローラ１５は、固定給紙カセット１４からシートＰを１枚毎に出紙し、搬送路Ｌに送り込む半月状の呼び込みローラである。また、固定給紙カセット１４には、シートＰの排出を補助する用紙さばき部（図示せず）が設けられている。この用紙さばき部は、ローラと摩擦シート部材あるいは逆転ローラとから構成することができる。
【００３３】
レジスト前検知スイッチ１９は、搬送路Ｌを搬送されているシートＰが所定の位置を通過したことを検知し、所定の検知信号を出力する。レジストローラ１６は、搬送路Ｌを搬送されているシートＰを一旦保持する。そして、感光体ローラ８上のトナー像をシートＰに転写するために、感光体ローラ８の回転に合わせて、シートＰを転写チャージャー１２に搬送する。
【００３４】
すなわち、レジストローラ１６は、レジスト前検知スイッチ１９の出力した検知信号に基づいて、感光体ローラ８上におけるトナー像の先端がシートＰにおける画像形成範囲の先端に押しつけられるように、シートＰを搬送する。
【００３５】
定着ローラ１７は、画像形成後のシートＰにおけるトナー像を、シートＰ上に熱定着させる（加熱、加圧によるトナー像の溶融、固着処理）。定着紙検知スイッチ２０は、シートＰが定着ローラ１７を通過したことを検知する。排紙ローラ１８は、排紙口Ｒの近傍に備えられ、定着ローラ１７から出紙されたシートＰを、排紙トレイ２２に排出するローラである。排紙検知スイッチ２１は、排紙ローラ１８からのシートの排出を検知する。
【００３６】
図２は、ファクシミリ装置Ｆを構成する各種ユニット部、画像処理部などの主要構成要素を示すブロック図である。
【００３７】
図中、略中央に位置するメイン中央演算処理装置４０１（ＣＰＵ）が、各ユニット部毎に搭載されたサブ中央演算処理装置（ＣＰＵ）との連携をとりながらファクシミリ装置Ｆ各部の動作を管理する。
【００３８】
ファクシミリ装置Ｆは、主として、図面略右上に位置し、操作パネル１０３を管理制御するオペレーションパネルボード１００と、図面略左上に位置し、ファクシミリ装置Ｆを構成する各ユニットを管理制御するマシンコントロールボード２００と、図面略左下に位置し、原稿画像を電気的に読取り、電子データとするＣＣＤボード３００と、図面略中央に位置し、前記ＣＣＤボード３００にて電子データ化された原稿画像に対して所定の画像処理を施すメイン画像処理ボード４００と、このメイン画像処理ボード４００にて処理された画像情報にさらに所定の画像処理を施すサブ画像処理ボード５００と、さらに、図面略右下に位置し、前記サブ画像処理ボード５００にインターフェイスを介して接続されるその他の拡張ボード群６００（プリンタボード６０１、ＦＡＸボード６０３、機能拡張ボード６０２）などから構成される。
【００３９】
次に、各ボード毎に管理制御している内容について説明する。
（オペレーションパネルボード）
オペレーションパネルボード１００は、基本的にサブ中央演算処理装置（ＣＰＵ）１０１により制御され、操作パネル１０３上に配置されたＬＣＤ１０４の表示画面、各種モードに関する指示を入力する操作キー群１０５からの操作入力などを管理する。オペレーションパネルボード１００には、さらに、操作キー群１０５から入力されたデータ、ＬＣＤ１０４に表示させる情報など操作パネル１０３における各種制御情報を記憶するメモリ１０２が設けられている。
【００４０】
上記構成のオペレーションパネルボード１００において、サブ中央演算処理装置（ＣＰＵ）１０１は、メイン中央演算処理装置（ＣＰＵ）４０１との間でファクシミリ装置Ｆ各部を制御する制御データの通信を行い、ファクシミリ装置Ｆ各部に動作を指示する。また、メイン中央演算処理装置４０１からは、ファクシミリ装置Ｆの動作状態を示す制御信号をサブ中央演算処理装置（ＣＰＵ）１０１へ転送する。この制御信号により、操作パネル１０３のＬＣＤ１０４上に、ファクシミリ装置Ｆの動作状態が表示される。
（マシンコントロールボード）
マシンコントロールボード２００は、サブ中央演算処理装置２０１により全体が制御されており、ＡＤＦ、ＲＡＤＦなどの自動原稿送り装置２０３、原稿画像を読取る読取りスキャナー部Ａ、画像データを画像として再現するプロセス部Ｂ、画像が記録される用紙を収納部からプロセス部Ｂへ向かって順次搬送する給紙搬送部Ｃなどを管理する。
（ＣＣＤボード）
ＣＣＤボード３００は、原稿画像を電気的に読取るためのＣＣＤ７、ＣＣＤ７を駆動する回路（ＣＣＤゲートアレイ）３０２、ＣＣＤ７から出力されるアナログデータのゲイン調整などを行うアナログ回路３０３、ＣＣＤ７のアナログ出力をデジタル信号に変換してデジタル信号の画像データとして出力するＡ／Ｄ変換器３０４などから構成され、制御管理はメイン中央演算処理装置４０１により行われる。
（メイン画像処理ボード）
メイン画像処理ボード４００は、メイン中央演算処理装置４０１により制御され、前記ＣＣＤボード３００から送られてきた原稿画像の画像データに、画像の階調性を所望の状態で表現できるように、シェーディング補正、濃度補正、領域分離、フィルタ処理、ＭＴＦ補正、解像度変換、電子ズーム（変倍処理）、ガンマ補正などの多値画像データ処理を行う多値画像処理部４０２、処理が施された画像データあるいは処理の手順管理などの各種制御情報を記憶するメモリ４０３、処理が施された画像データにより画像を再現するためにＬＳＵ１０へ画像データを転送するとともにＬＳＵ１０を制御するレーザーコントロール４０４などから構成される。
（サブ画像処理ボード）
サブ画像処理ボード５００は、メイン画像処理ボード４００とコネクタ接続され、メイン画像処理ボード４００上のメイン中央演算処理装置４０１により制御された２値画像処理部５０１、処理の施された２値画像データあるいは処理上の制御データなどを記憶管理するメモリ５０２ａおよびメモリ５０２ａを制御するメモリーＧ／Ａ５０２、複数枚の原稿画像データを記憶管理しておき、複数枚の原稿画像を繰り返し所望部数だけ読み出して、複数の複写物を生成するためのハードディスク（ＨＤ）５０３ａおよびＨＤ５０３ａを制御するＲＤＨＧ／Ａ５０３、外部インターフェイスとしてのＳＣＳＩ−２およびＳＣＳＩ−２を制御するＳＣＳＩＧ／Ａ５０４などから構成される。
【００４１】
また、前述の２値画像処理部５０１は、多値画像データを２値画像データに変換する処理部、画像を回転する処理部、２値画像の変倍処理を行う２値変倍（ズーム）処理部などから構成され、さらに、ファクス画像を通信手段を介して送受信することができるようにファクスインターフェイスも備えている。
（拡張ボード）
拡張ボード６００としては、パーソナルコンピュータなどから送られてくるデータをプロセス部Ｂからプリンタモードとして出力するプリンタボード６０１、編集機能を拡張してファクシミリ装置Ｆの特徴を有効活用する機能拡張ボード６０２、スキャナー部Ａから読み込んだ原稿画像を相手先に対して送信するとともに相手先から送られてきた画像データをプロセス部Ｂから出力するＦＡＸボード６０３などがある。
【００４２】
以下、このように構成されるファクシミリ装置Ｆの、ファクスモードでの画像データの処理、画像データの流れについてさらに詳しく説明する。
（ファクスモード）
ファクスモードには、相手先に対する原稿の送信と、相手先からの原稿の受信に対する処理がある。
【００４３】
先に相手先に対する原稿の送信について説明すると、原稿トレイ３０の所定位置にセットされた送信原稿は、１枚ずつスキャナユニットＡの原稿台１上へと順次供給され、順次読取られ、８ビットの原稿画像データとしてメイン画像処理ボード４００へと転送される。メイン画像処理ボード４００に転送された８ビットの原稿画像データは、８ビットの原稿画像データとして多値画像処理部４０２において所定の処理が施される。
【００４４】
そして、この８ビットの原稿画像データは、次にメイン画像処理ボード４００側のコネクタ４０５からサブ画像処理ボード５００側のコネクタ５０５を介してサブ画像処理ボード５００側に送られ、２値画像処理部５０１の多値２値変換部５０１ａにおいて誤差拡散などの処理とともに８ビットの原稿画像データから２ビットの原稿画像データに変換される。
【００４５】
なお、８ビットの原稿画像データを誤差拡散などの処理を含めて２ビットの原稿画像データに変換しているのは、ただ多値２値変換を行っただけでは画質的に問題があるので、画質の劣化が少なくなるように配慮しているためである。このようにして、２値画像化された原稿画像データは、所定の形式で圧縮されてメモリ５０２ａに記憶される。
【００４６】
そして、相手先との送信手続きを行い、送信可能な状態が確保されると、メモリ５０２ａから読み出された原稿画像データはＦＡＸボード６０３側へと転送され、このファクスボード６０３上で圧縮形式の変更など必要な処理を施して、相手先に対して通信回線を介して順次送信されることとなる。
【００４７】
次に、相手先から送信されてきた原稿画像の処理について説明すると、相手先から通信回線を介して原稿画像データが送信されてくると、ＦＡＸボード６０３は所定の通信手続きを行い、送信されてくる原稿画像データを受信する。この後、所定の形式に圧縮された原稿画像データは、サブ画像処理ボード５００の２値画像処理部５０１に設けられたファクスインターフェイスから２値画像処理部５０１へと送られる。２値画像処理部５０１においては、原稿画像データとして送信されてきた原稿画像データを圧縮伸張処理部５０１ｂなどによりページ単位に再現する。
【００４８】
そして、ページ単位の画像として再現された原稿画像データは、メイン画像処理ボード４００側へと転送されてガンマ補正される。続いて、レーザコントロール４０４がＬＳＵ１０における画像の書き込みを制御し、ＬＳＵ１０において画像が再現される。
【００４９】
図３は、操作パネル１０３の正面図である。操作パネル１０３は、ＬＣＤ１０４を中心として、その周辺に各種の操作キー群１０５が配置されて構成されている。操作キー群１０５の内、操作キー１０５ａ、１０５ｂ、１０５ｃによって、コピー、プリンタおよびファクスの各動作モードを選択することができる。
【００５０】
また、操作キー１０５ｄは、スキャナー部Ａをパーソナルコンピュータ等の単独のスキャナーとして使用する場合に選択されるキーであり、Ｓｅｌｅｃｔキー１０５ｅは、各種の機能選択や、後述する操作の節目に操作されるキーであり、操作キー１０５ｆは、動作の開始を指示するキーであり、置数キー１０５ｇは、部数や電話番号などを入力するキーであり、操作キー１０５ｈは、予め登録されているファクシミリ送信の相手先を呼び出すキーである。
【００５１】
図４（ａ）は、ファクスモード時におけるファクス装置Ｆの動作を説明するためのフローチャートであり、同図（ｂ）はそれに対応したＬＣＤ１０４の表示画面を示す図である。
【００５２】
まず、前記操作キー１０５ｈや置数キー１０５ｇから送信相手先の電話番号が入力されると（Ｓ１）、ＬＣＤ１０４には、送信相手先の電話番号等が表示される（表示画面５ａ）。操作キー１０５ｆから動作の開始が指示されると（Ｓ２）、前記スイッチＳＷによって原稿トレイ３０側、すなわち原稿自動給送装置（以下「ＳＰＦ」という）側に原稿がセットされているか否かを判断する（Ｓ３）。
【００５３】
判断の結果、原稿がセットされている場合（Ｓ３でＹＥＳと判断）には、原稿が自動給送されて読取られ（Ｓ４）、送信が開始される（Ｓ５）。このとき、ＬＣＤ１０４には、送信相手先の電話番号等が表示される（表示画面５ｆ）。そして、送信が終了すると（Ｓ６）、動作を終了する。
【００５４】
これに対して、ＳＰＦ側に原稿がセットされていない場合（Ｓ３でＮＯと判断）には、ＳＰＦ側に原稿をセットするのを忘れたか否かをファクシミリ装置Ｆの利用者に確認する（Ｓ７）。確認方法は、ＬＣＤ１０４の表示画面上に、ＳＰＦ側に原稿がセットされていないことを示す警告メッセージを表示する（表示画面５ｂ）というものである。
【００５５】
ＳＰＦ側に原稿をセットするのを忘れていた場合（Ｓ７でＹＥＳと判断）には、ＳＰＦ側に原稿をセットする（Ｓ８）。これにより、ＳＰＦ側にセットされた原稿が読み取られ（Ｓ４）、原稿画像が送信される（Ｓ５，Ｓ６）。これに対し、所定時間経過しても、原稿がセットされない場合（Ｓ７）、原稿固定読取り装置（以下「ＯＣ」という）による送信が選択されたものと判断し、ＯＣ側の処理に移る（Ｓ１１〜Ｓ１４）。
【００５６】
ＯＣ側の処理が開始されると、ＬＣＤ１０４には、ＯＣ側の処理が開始されることをファクシミリ装置Ｆの利用者に確認する確認メッセージが表示される（表示画面５ｃ）。これに応答して、利用者によって原稿台１に原稿がセットされ（Ｓ１１）、さらに、Ｓｅｌｅｃｔキー１０５ｅが押し下げられると（Ｓ１２），セットされた原稿の読取りが開始される（Ｓ１３）。この際、ＬＣＤ１０４には、読取り状況が表示される（表示画面５ｄ）。
【００５７】
その後、ＬＣＤ１０４には、さらなる送信原稿の有無を確認するメッセージが表示され（表示画面５ｅ）、さらなる送信原稿の有無が判断される（Ｓ１４）。この表示に対する利用者のＳｅｌｅｃｔキー１０５ｅまたは操作キー１０５ｆの操作によって、さらなる送信原稿がある場合（Ｓ１４でＹＥＳと判断）には、再び原稿台１に原稿をセットし（Ｓ１１）、さらなる送信原稿がない場合（Ｓ１４でＮＯと判断）には、送信を開始する（Ｓ５）。送信開始の際、ＬＣＤ１０４には、送信相手先の電話番号等が表示される（表示画面５ｆ）。
【００５８】
このようにして、ＳＰＦ側に原稿がセットされているか否かから、自動的にＳＰＦ側とＯＣ側とを切り換えて使用するので、送信の際にそれらを切り換える必要はなく、操作性を向上することができるとともに、切り換えスイッチを省略することができる。
【００５９】
また、多くのファクシミリ装置ではＳＰＦが使用されるので、ＳＰＦに原稿がセットされない場合には原稿のセット忘れの可能性が高く、セット忘れの際には、警告メッセージの表示により（表示画面５ｂ）、不所望にＯＣ側の読取りに切り換わることを防止することができる。
【００６０】
なお、使用頻度の低いＯＣの使用時には、確認操作が増加するけれども、通常、ＯＣの使用頻度は低いため、操作性が著しく低下することはない。
【００６１】
図５（ａ）は、ファクスモード時における本発明の他の動作例を示すフローチャートであり、同図（ｂ）は、動作時におけるＬＣＤ１０４の表示画面を示す図である。図５（ａ）に示す動作工程においては、既に説明した図４（ａ）に示す動作工程と共通する動作工程があるため、共通する動作工程には同一のステップ番号を付すこととし、その説明を省略する。また、同一の動作工程においては、ＬＣＤ１０４に所定の表示がなされるため、同一の動作工程においてＬＣＤ１０４に表示される図４（ｂ）の表示画面と図５（ｂ）の表示画面とには同一の符号を付すこととし、説明を簡略化する。
【００６２】
本動作の特徴はＳ７以降の動作であり、ＳＰＦ側に原稿がセットされていない場合には、Ｓ７でＳＰＦ側に原稿をセットするのを忘れたか否かをファクシミリ装置Ｆの利用者に確認するための警告メッセージを表示する（表示画面５ｂ）。
【００６３】
ここで、利用者がＳＰＦ側に原稿をセットするのを忘れたのではない場合（Ｓ７でＮＯと判断）には、Ｓｅｌｅｃｔキー１０５ｅが押し下げられる（Ｓ２１）。これにより、ＬＣＤ１０４には、ＯＣ側からの原稿画像の送信であるのか、操作キー１０５ｆの操作によるポーリング受信による通信であるのかのいずれかを、ファクシミリ装置Ｆの利用者に選択させるための選択メッセージが表示される（Ｓ２２：表示画面７ｇ）。
【００６４】
ＯＣ側からの原稿画像の送信が選択されると、原稿台１に原稿をセットすることにより（Ｓ１１）、ＯＣ側からの原稿画像の送信を行う。一方、Ｓ２２で、ポーリング受信による通信が選択されると、ポーリング受信による通信が開始され（Ｓ２３）、ポーリング受信による通信が終了すると（Ｓ２４）、処理を終了する。
【００６５】
このように、ＬＣＤ１０４に、ＳＰＦ側に原稿がセットされていない旨の警告メッセージとともに、ポーリング受信による通信であるのかＯＣによる送信であるのかのいずれかを選択させる選択メッセージを表示させることによって、ＳＰＦ側に原稿がセットされていない場合に、送信原稿のないポーリング受信を選択することもできる。
【００６６】
【発明の効果】
本発明によれば、シート状の原稿を自動給送し、その原稿画像を順次読取る原稿給送式の画像読取り手段とともに、原稿台上にセットされたブック状等の原稿の画像を走査して読取るようにした原稿固定式の画像読取り手段を備えており、原稿自動送り部に原稿がセットされているか否かにより、自動的に原稿給送式の画像読取り手段と原稿固定式の画像読取り手段とを切り換えて使用する構成としている。このような構成とすることにより、送信の際、切り換え操作が不要であるため、操作性を向上させることができる。さらに、切換えスイッチを省略することもできる。
【００６７】
また、従来のファクシミリ装置においては、原稿給送式の画像読取り手段が使用されるため、原稿自動送り部に原稿がセットされていない場合には、原稿のセット忘れの可能性が高いが、本発明によれば、原稿自動送り部に原稿がセットされていない場合に、原稿がセットされていないことを示す警告メッセージを表示するとともに、前記原稿固定式の画像読取り手段による送信モードが選択されることを確認する確認メッセージを表示する構成としている。これにより、自動的に原稿固定式の画像読取り手段に切換わることを防止することができる。一方、使用頻度の低い原稿固定式の画像読取り手段の使用時には、確認操作が増加するけれども、前記使用頻度が低いので、操作性が著しく低下してしまうようなこともない。
【００６８】
また、本発明によれば、原稿自動送り部に原稿がセットされていない場合、メッセージ表示手段が、警告メッセージと、ポーリング受信による通信と原稿固定式の画像読取り手段による送信とのいずれかをファクシミリ装置利用者に選択させるための選択メッセージとを表示する構成としている。これにより、発呼は行うけれども、送信原稿のないポーリング受信にも対応することができる。
【図面の簡単な説明】
【図１】ファクシミリ装置の構成例を示す概略断面図である。
【図２】ファクシミリ装置を構成例を示すブロック図である。
【図３】操作パネルの正面図である。
【図４】（ａ）はファクスモード時における動作を説明するためのフローチャート、（ｂ）は動作時におけるＬＣＤの表示画面を示す図である。
【図５】（ａ）はファクスモード時における他の実施形態の動作を示すフローチャート、（ｂ）は動作時におけるＬＣＤの表示画面を示す図である。
【符号の説明】
１  原稿台
２  露光ランプ
３〜５  反射鏡
５ａ、５ｂ、５ｃ、５ｄ、５ｅ、５ｆ  表示画面
６  結像レンズ
７  光電変換素子（ＣＣＤ）
７ｇ  表示画面
８  感光体ローラ
９  帯電部
１０  レーザスキャニングユニット（ＬＳＵ）
１１  現像部
１２  転写チャージャー
１３  クリーニング部
１４  固定給紙カセット
１５  ピックアップローラ
１６  レジストローラ
１７  定着ローラ
１８  排紙ローラ
１９  レジスト前検知スイッチ
２０  定着紙検知スイッチ
２１  排紙検知スイッチ
２２、３１  排紙トレイ
３０  原稿トレイ
１００  オペレーションパネルボード
１０１、２０１  サブ中央演算処理装置（ＣＰＵ）
１０２、２０２、４０３、５０２ａ  メモリー
１０３  操作パネル
１０４  ＬＣＤ（液晶ディスプレイ）
１０５  操作キー群
１０５ａ、１０５ｂ、１０５ｃ、１０５ｄ、１０５ｆ、１０５ｈ  操作キー
１０５ｅ  Ｓｅｌｅｃｔキー
１０５ｇ  置数キー
２００  マシンコントロールボード
２０３  自動原稿送り装置
３００  ＣＣＤボード
３０２  ＣＣＤゲートアレイ
３０３  アナログ回路
３０４  Ａ／Ｄ変換器
４００  メイン画像処理ボード
４０１  メイン中央演算処理装置（ＣＰＵ）
４０２  多値画像処理部
４０４  レーザーコントロール
４０５、５０５  コネクタ
５００  サブ画像処理ボード
５０１  ２値画像処理部
５０１ａ  多値２値変換部
５０１ｂ  圧縮伸長部
５０２  メモリーＧ／Ａ
５０３  ＲＤＨＧ／Ａ
５０３ａ  ＨＤ（ハードディスク）
５０４  ＳＣＳＩＧ／Ａ
６００  拡張ボード群（プリンタボード、ＦＡＸボード、機能拡張ボード）
６０１  プリンタボード
６０２  機能拡張ボード
６０３  ＦＡＸボード
Ａ  スキャナー部
Ｂ  画像形成部
Ｃ  給紙搬送部
Ｆ  ファクシミリ装置
Ｌ  搬送路
Ｐ  シート
Ｒ  排紙口
ＳＷ  スイッチ
【図１】
0003679342.tif 000002
【図２】
0003679342.tif 000003
【図３】
0003679342.tif 000004
【図４】
0003679342.tif 000005
【図５】
0003679342.tif 000006